(57)【特許請求の範囲】
【請求項１】
リーダーから距離をおいたターゲット面内のデータ形式を読み込むデータ形式リーダーについて使用する自動露出画像システムであって、
フレーム画像信号を生成するための読み取りが可能であり、少なくとも幾つかが２次元アレイに配置された複数のセンサー要素；
大きさ、明るさ、及び場所の少なくとも１つが前記アレイと前記ターゲット面との間の距離に応じて変わる照明領域において上記ターゲット面を照明するように配列された少なくとも１つの合焦照明器；
上記少なくとも１つの合焦照明器を作動させて、選ばれたセンサー要素の読み取りを開始させるユーザー用引金装置；
上記センサー要素の少なくとも１つからの画像信号に応答し、上記照明領域における大きさが所定大きさの範囲内にあること、明るさが所定明るさの範囲内にあること、場所が所定場所の範囲内にあること、の少なくとも１つである時に合焦信号を出す合焦感知装置；
上記合焦信号の後の期間において上記センサー要素の少なくとも１つからの画像信号によって示される反射光のレベルに応答して画像信号増幅を制御する様に配列された利得制御装置；
上記センサー要素の少なくとも１つからのフレーム画像信号に応答し、上記合焦信号に応答してスタート信号を、上記ターゲットから所定レベルの照明が反射されることに応答してストップ信号を生成するように配列された露出制御装置；
上記スタート信号と上記ストップ信号に応答し、上記スタート信号と上記ストップの信号によって決められる露出時間の間、上記ターゲット面を照明する様に配列された少なくとも１つの露出照明器；
上記アレイに結合され、上記画像信号の画像データ表示を記憶する様に配列されたメモリユニット；
上記メモリユニットに結合され、記憶されている１フレーム分の画像データを処理して、上記データ形式を解読し、データ形式の解読が成功したときに、選ばれたセンサー要素の読み取りと、データ形式のリーダーの操作を終了させるサイクル終了信号を生成するように配列されたプロセシングユニット；及び、
上記プロセシングユニットに結合され、解読されたデータ形式情報を表す出力信号を生成するように配列された出力装置；
を備えることを特徴とする自動露出画像システム。
【請求項２】
特許請求の範囲第１項記載の画像システムであって、上記アレイの前に位置する光学的フィルターを更に備え、前記光学的フィルターは、上記露出照明器からの照明を伝送し、他の部分の周囲光スペクトルの伝送を減少させることを特徴とする自動露出画像システム。
【請求項３】
特許請求の範囲第１項記載の画像システムであって、上記利得制御装置は、上記２次元アレイ内の前記センサー要素から供給される画像信号の利得を制御するのに用いられる信号を生成することを特徴とする自動露出画像システム。
【請求項４】
特許請求の範囲第１項記載の画像システムであって、上記少なくとも１つの合焦照明器は２つの合焦照明器を有し、これらの合焦照明器は、それぞれが光ビームを出し、該光ビームは上記アレイの固定合焦面を表す焦点距離において、アレイの前で交叉することを特徴とする自動露出画像システム。
【請求項５】
特許請求の範囲第４項記載の画像システムであって、中央の合焦レンズが上記アレイの前に配置され、該中央合焦レンズはほぼ上記焦点距離にわたる焦点深度の焦点面を上記焦点距離位置に形成するように配列されたことを特徴とする自動露出画像システム。
【請求項６】
特許請求の範囲第４項記載の画像システムであって、上記合焦感知装置は、上記光ビームによって上記ターゲット面上に形成された照明領域が少なくとも所定の程度に収斂することを感知するように配列されたことを特徴とする自動露出画像システム。
【請求項７】
特許請求の範囲第１項記載の画像システムであって、上記少なくとも１つの露出照明器は照明器装置のアレイを有し、上記照明装置のアレイと上記画像とが所定の距離だけ離れた時、ターゲット面を横切って所定の照明レベルを生成するように配列されたことを特徴とする自動露出画像システム。
【請求項８】
特許請求の範囲第７項記載の画像システムであって、上記照明装置のアレイからの光に所定の合焦を与えるレンズアレイアセンブリを更に備えることを特徴とする自動露出画像システム。
【請求項９】
特許請求の範囲第７項記載の画像システムであって、上記照明器装置は発光ダイオードであることを特徴とする自動露出画像システム。
【請求項１０】
特許請求の範囲第１項記載の画像システムであって、上記露出制御装置は、ある時間にわたる画像信号の累積値を表す電圧を生成し、上記電圧が所定のしきい値電圧に達した時に上記ストップ信号を与えることを特徴とする自動露出画像システム。
【発明の詳細な説明】
技術分野
この発明は、バーコードやマトリクスコードの様なデータを読むためのシステムや方法に関するものであり、特に、シングルフレーム撮像のためセンサーアレイを利用している映像システムに関するもので、それは、自動露出、自動ゲインコントロールや自動焦点感知を提供している。
背景技術
センサーアレイスキャナーの色々なタイプが、２次元のバーコードやマトリクスコードのより複雑な読み取りを提供してきたが、これらのセンサーアレイスキャナーは、全て連続フレームスキャナーであり、そして、それ故に高い電力の消費が悩みであった。多くのセンサーアレイスキャナーは可搬でありバッテリーを用いていたので、可搬なものでシングルフレームで消費電力が少なく、従って電池の寿命が延びるという装置の必要があった。又、正確さと信頼性、そして小型で軽量のものが要求されていた。
データ形式の背景
バーコードとマトリクスコードの応用と利用はよく知られていて発展しつつある。バーコードとマトリクスコードは、”データ形式”の形であり、それは現在の目的では、機械読み取り可能のコピーのある形にデータが固定されるということの全ての制度を含めることを定めることである。この様にデータ形式は、言語、数や他の記号と同様、１又は２次元のバーコード、マトリクスコード、そしてグラフィックコードを含むが、それは紙、プラスチックカードや金属やその他のものの上にプリントやエッチングされている。データ形式は見えないインク、磁気、電気その他のもので印刷されている。
データ形式の利用では、はじめ記号化されたデータは色々な方法で復元される。例えば、プリントされたバーコードは光学的走査され反射率値を得るが、それはデジタル化され、バッファーメモリに記憶され、そして、それからバーコードの中に記号化されていたデータを復元するため解読される。データ形式の特別なタイプについて無視すると、映像は特に得られて、そして次の処理のためピクセル値として記憶される。バーコードやマトリクスコードの像は、グラフィック像として存在しているが、ＣＣＤスキャナー、レーザースキャナー、又は他の適当な装置の利用で得られるが、それはデータ形式から反射してくる光の異なる反射値の間を判別する能力がある。例えばこの様に、バーコードは、バーコードの要素の間に白又は黒のスペースをもって、白又は明るい色の背景面の上にプリントされた黒又は暗い色のバータイプ要素を形成している。スペースは背景面と同じ色であるが、この例の中では異なる明るい色でもよい。他の例では、バーコード又はマトリクスコードの要素は白又は明るい色で、そして黒又はより暗い色の空間と背景面で限定されている。
レーザーをシリコンウェハーの上に刻む様な他の例では、照明の結果は、１つの方向に明るい関係の上に暗、そして異なる方向では、暗い関係の上に明ということになる。光の反射値を示しているピクセル値に加えるに（”光”は全ての電磁波をこの目的では含むことにする）他の配列では、反射値のピクセル値の表示は、音波の反射に基づいてもよいし、又は適切な構成のデータ形式からの他の媒体でもよい。反射値に基づいて読み込む様にされている配置では、この様な反射値は、ピクセル値として映像バッファーメモリ又は他の貯蔵媒体にビットマップ又は他の形で記憶されるが、一方映像に対しピクセル値の表示はどんなデータ貯蔵フォーマットを用いても良い。
センサーアレイリーダーの背景
指摘した如く、データ形式を読み取る従来の配列は、レーザー又は連続フレームＣＣＤスキャナーで２次元のバーコードを利用したものに基づいていた。しかし、これらの取り組みは実行、低い電力消費、低価格、早くて正確な２次元のデータ形式を読み込むリーダーの追求の点で２、３の制約があった。例えば、連続するフレームリーダーは電力を大量に消耗する、というのは連続したフレーム構造はセンサーアレイが連続して画像データを作るという必要性を持っているからである。マイクロプロセッサーがバーコードを解読する時、それは連続した画像データの流れから解読のため、ほんの必要の所だけ選ぶだけである。
連続フレーム移動ビデオや高い解像度を目的とする完全なフレームの進歩シタスキャンＣＣＤ装置は、高価、大きすぎる構成、高い電力消耗や、遅い利得応答タイムの１つや２つを必要としていた。
これらは実際面で制約を加えていた。
この発明の目的は、故に、１つ或いはもっと前記の不利な所を避けた新しい改良されたデータ形式のリーダーを提供することにある。
更に、下記の中の１つかそれ以上を提供することのできる画像システムも目的である。
一。低消費電力
一。シングルフレーム撮像
一。自動露出制御
一。速やかな自動利得制御
一。自動焦合センシングと読み取り実施
一。軽量で手で運べる構造
発明の開示
この発明によると、ターゲット面のデータ形式を読むためのデータ形式リーダーの様な自動露出画像システムは、多くのセンサー要素を含んでいる。センサー要素は画像信号を作るため読み取り可能であり、そして少なくとも、その要素の幾つかは２次元アレイの中に位置している。露出照明器からの照明への伝送の、そして回りの光スペクトルの他の部の中で伝送を縮小するのに効果のある光学フィルターはアレイの全面に位置している。一対の焦点照明器は、データ形式リーダーとターゲット面の間の距離と共に変化する大きさ、明るさ、そして場所で特徴づけられる照明の面と共にターゲット面を照明する様に配置されている。
読み取りサイクルは、焦点照明器を動作させ、そして選ばれたセンサー要素の読み取りを始める様に配置されている利用者のトリガー装置によって始められる。複数のセンサー要素からの画像信号に応答する合焦状態感知装置は、照明の面が、下記の点の少なくとも１つで特徴づけられる時、”合焦状態”信号を供給する様に配列されている。下記の点とは、
（ａ）所定の大きさの範囲内の大きさ
（ｂ）所定の明るさの範囲内の明るさ
（ｃ）所定の場所の範囲内の場所
利得制御装置は、上記合焦状態信号の後の期間の中で、少なくともセンサー要素の１つからの画像信号によって示される反射光のレベルに応答するが、画像信号増幅を制御する様にである。
露出制御装置は、センサー要素の少なくとも１つからの画像信号に応答するが、上記の合焦状態信号に応えて”スタート”信号を、上記のターゲット面からの照明の所定のレベルの反射に応答して、”ストップ”信号を出し、画像データのシングルフレームの収集を可能にする。少なくとも１つの露出照明器は合焦状態信号に応答し、そして露出制御装置により決められる露出期間の間ターゲット面を照明する様に配置されている。
データ形式のリーダーは、更に、メモリユニットを含んでいるが、それはアレイと組んでいて、そして画像信号の画像データ表示を記憶し、そしてプロセシングユニットはメモリユニットと組んでいて記憶した画像のデータをデータ形式に解読する処理をする様に配列されている。プロセシングユニットは、又選択されたセンサー要素の読み取りとデータ形式の継続している解読について、データ形式リーダーサイクルの操作を終わらせるのに効果のあるエンドサイクル信号を作り、そして出力装置と組んで解読されたデータ形式の情報の出力信号表示を作る様に配列されている。センサー要素の読み取りは、入力パワーのカップリング又はセンサー読み取りのタイミング制御を作るクロック信号の準備の少なくとも１つの終わりによってストップされる、それは電力の節約のためである。
又発明によると、センサー要素のアレイを含んでいる画像システムの利用のための画像方法は次のステップを持っている。
（ａ）画像信号を供給するため選択されたセンサー要素を読み取るのに必要な電力とクロック信号を供給すること；
（ｂ）アレイとターゲット面の間の距離で変化する大きさ、明るさ、そして場所の少なくとも一つによって特徴づけられる照明の角と共にターゲットを照明する；
（ｃ）所定の大きさの範囲内の大きさの少なくとも１つ、所定の明るさの範囲内の明るさ、そして所定の場所内の場所の少なくとも１つによって特徴づけられるという照明の面の原因となるこの様な距離を調整する；
（ｄ）少なくとも１つのセンサー要素からの画像信号が、照明がステップ（ｃ）で示された様に特徴づけられるということを指摘した時合焦状態信号を供給する；
（ｅ）非・焦点信号に応答して露出照明器をつける；
（ｆ）アレイの選択されたセンサー要素からの画像データを集める；
（ｇ）露出照明器を切って、選択されたセンサー要素の読み取りに必要な電力とクロック信号の少なくとも１つを終わりとする；
（ｈ）アレイのセンサー要素からの画像データを処理；
発明のより深い理解のため、他のそして更なる目的と共に、図面が添えてあり、発明の範囲はクレイムが指摘している。
【図面の簡単な説明】
図１Ａ、１Ｂ、１Ｃは、夫々発明を用いている手で持てるデータ形式リーダーの形の自動露出画像システムの前と横と上から見た図である。
図２は、リーダーの光学的部分の側面の概念図を示している。データ形式リーダーの各部のブロックダイアグラムである。
図３は、図２のシステムの一部の装置の詳細を示している。
図４は、発明に基づく自動合焦感知システムの様子を示している側面概念図である。
図５は、図２のデータ形リーダーの一部の第２の具体例を示しているブロックダイアグラムである。
図６は、説明されたデータ形式リーダーの操作の説明に有用なフローチャートである。
図７は、発明による第２の具体例の操作を説明するのに役立つフローチャートである。
発明を実施するための最良の形態
シングルフレーム自動露出画像システムの具体例は、発明を用いているデータ形式のリーダーの形であるが、図１Ａ、１Ｂ、１Ｃで示されている。図１Ａは、データ形式のリーダー１０の正面の概念図である。図１Ｂと図１Ｃは、夫々対応する側面と平面図である。上の覆いの部分は、内部の部分の単純化した図を見るために取り外してある。
この発明による特別な様子を調べる前に、リーダーは、ハンドグリップ部１２、トリガー装置１４と、バッテリー収納部１６を持った小型のプラスチックの箱でできている。データ形式リーダーは、又、上部を包む部分１８を含んでいるが、又、センサーアレイ２０、照明アレイ２２、及び照明レンズ２４を含んでもよいが、それらは詳しく解説する。
図１Ｂ又はプロセッサーとメモリユニット３０と、入力／出力（Ｉ／Ｏ）ユニット３２を描写しているが、それはリーダーの後から溝の中に差し入れる詰め込んだ回路板の形をとってもよい。つけ加えるべき溝３４と３６は、追加の又は発展した操作を可能にするため、例えばＰＣＭＣＩＡタイプのカード等を用いることもできる。図１Ｂと図１Ｃに更に描写されている様に、データ形式リーダー１０は、データエントリーキーボード４０及びディスプレイ４２を持っている。この分野の技術に詳しい人には、以上の内容は新規ではなく思えるかも知れないが、これから発明の特徴を示す。
説明された具体例では、自動露出データ形式リーダー１０が示されたが、それは、それはデータ形式リーダーから離れた所にあるターゲットの中に存在するデータ形式（２次元バーコードの様な）を読む様に設計されている。この様に、例えばバーコードは、色や構成要素又は手紙の上にプリントされ、そしてオペレータによってデータ形式はもたれてリーダーの前面はバーコードから離れている。
図１Ａに示す様に、リーダー１０は、３つの異なる機能をもった照明器のアレイを含んでいる。図の５０の様な周辺の照明器は、フレームタイプの構造の中に位置していて、そして、囲みのあるターゲット面を照射する様に配列されている。５２で示される合焦照明器は、この具体例では光の角度のあるビームを出すが、それは交わったり重なったりをリーダーの前の所定の距離の所で行う。その距離は固定焦点距離を表すが、後に解説する。５４で示される露出照明器は数が多いのだが、データ形式を読み取る目的で露出期間の間にスイッチを入れると、ターゲット面の比較的一様なレベルを供給する様に配列されている。照明器の各々は、適当な装置、低コストの発光ダイオード（ＬＥＤ）でよく、発明の応用で適切だと決められる照明の夫々のレベルを作る様に配列されている。照明器の数、タイプ、配列や利用は適当に決めれば良い。応用によると、周辺の照明器５０又は合焦照明器５２は、それだけでも用いられるし、又組み合わせでも用いられ、露出期間の間、露出照明を供給している。照明器のレンズ２４はアレイ構成を持っていて、既に議論したそれぞれの機能の各々に対して適切に合焦ビーム構成を用意するために照明器５０、５２と５４の各々の前に小さなレンズ部を有している。
図１Ａで、中央のレンズ５６は、アセンブリ２０の中に含まれているセンサーアレイの面上のターゲット面から反射してきた照明と含まれているデータ形式を、アレイに画像を感知させ、そして、画像信号を作るために合焦する様に配置されている。
さて次に図２であるが、発明を用いているデータ形式のリーダーの各部の単純化したブロックダイアグラムが示されている。関連の光学的要素の断面図の概念図が含まれている。示されている様に、センサーアレイアセンブリ２０は、レンズアセンブリ２４と照明器５０と５４を通して投影し、そしてセンサーアレイ２１、光学的フィルター２６と、アレイ制御ユニット２８、クロック装置２９を含んでいる。
センサアレイ２１は、中央レンズ５６とフィルタ２６の後に位置している。
照明器によってもたらされる照明に伝送されるフィルター２６を準備することにより、しかし、回りの光スペクトルの他の部分の中の伝送を減らすのに有効であるが、露出期間内で回りの先によって作られる効果は減少する。
指摘した様に、センサーアレイアセンブリ２０は、感知電池の２次元アレイ２１を有している（その各々は、フォトダイオードを利用し、そして投射し反射する光に応答する）。アレイ制御ユニット２８は、垂直と水平の読み出し回路、電気又は個々の感知電池に現れる電圧、及び出力増幅装置、この装置は、センサーアレイアセンブリ２０からの画像信号をカップリングするための調整可能な利得を備えているが、又同時に選択されたセンサー要素からの画像信号の読み取りのタイミング制御を与えるためのクロック装置２９も備えている。データ形式リーダー１０に用いるのに適している。このタイプの配列は、米国特許出願０８／２５８，４２８、１９９４年６月１０日出願の中で示されているが、譲渡された人は、この出願と同じである。
この様な同時出願の内容は、引例によってここに統合される。
センサーアレイ配列の他のタイプは、発明の装置に用いられているが、引用された特許出願の配列のタイプの中の有益なことは全体のセンサーアレイ、プラス関連利得制御、合焦感知、及び露出制御回路が知られているＣＭＯＳ技術の出願を用いてシングルチップの上に使用できるということである。（又はＰＭＯＳ、ＮＭＯＳ、Ｂｉｐｏｌａｒ、ＢｉＭＯＳ、ＢｉＣＭＯＳ、又は他の存在するか又は新しく使える技術）例えば、存在するＣＭＯＳ技術の利用は非常に有益である。
図２で、センサアレイはレンズ５６を通してレンズ５６から距離５９にあるターゲット面５８に焦点を結ぶ。フィルター２６は、レンズ５６とセンサーアレイの間に置かれる。フィルター２６は、まず、電磁波のある部分、ある帯域のみの光を伝え、そして、回りの光スペクトルの他の部分の伝わりを減少するのに効果的であると述べることができる。この追求で、センサーアレイは回りのターゲット面からの反射光に比較的非応答的と言える。
図２は、又多くのセンサー要素から供給された画像信号に応答し、そして、データ形式読み取り開始を知らせることのできる”合焦状態”信号を供給する様に配列されている合焦状態感知装置６２を含んでいる。合焦状態信号は焦点照明器によって供給された照明の面が、少なくとも次の中の１つを持つことによって特徴づけられる。
（ａ）所定の大きさの範囲内の大きさ
（ｂ）所定の明るさの範囲内の明るさ
（ｃ）画像信号によって示される様に、所定の場所内の場所
図３は適切な画像信号を装置６２に供給するための２つの配列を指摘している。図３では、５６はアレイ合焦レンズのアウトラインを示し、そして２１ａは、センサーアレイアセンブリ２０の中に含まれている感知要素のアレイのアウトラインを示している。２１ｂでは要素アレイ２１ａから分けて供給されるセンサー要素の１つ又は２つの横列を構成している線形センサーを指摘している。線形アレイ２１ａは、図２の点４８に連絡されていて、アレイ制御ユニット２８の制御下にある。
図４は、合焦照明器５２を示しているが、レンズアセンブリ２４を経て、前に論議した角度のある光ビーム５２ａと５２ｂを供給している。示されている様に、これらのビームは、レンズ５６の前面から距離５９の所で交叉している。距離５９では、合焦レンズ５６との組み合わせでアレイアセンブリ２０のセンサーアレイの焦点７０の面の側面図が示してある。
この様に、センサーアレイ構成とレンズの特別な選択で、データ形式リーダーは、合焦状態のコンディションにあることを表すが、その時、ターゲット面の画像及びアレイ２１のセンサー要素の上に焦点を正確に結んだデータ形式も一緒であるが、もしターゲット面が距離５９にある面７０の中にある場合である。更に、レンズ５６は、焦点の合理的な深さに提供するとされるが、その時、ターゲット面の画像は、７２で指摘されている焦点範囲の深さ内のどんな分離した距離でも、センサー要素の上に満足すべき焦点を結ぶという結果となっている。一たび距離５９が特別のリーダー設計に対して決められるとしたら、照明器５２のビーム角は調整されて図４で示す様に、距離５９で交叉するか重なることになる。この配列で、図３の線形センサー２１ｂは、ターゲット面が距離７６の平面７４にある時、空間のある位置に存在する２つの光の点によって、ターゲット面の照明の表示する画像信号をまず供給する。それから、データ形式リーダーがターゲット面に近く動いてきて、ターゲット面が距離５９の面７０の中にある様になると、２つの光の点は、中心の場所のシングルでより明るい点の中に収斂する。線形アレイ２１ｂからの画像信号は、かくして照明のシングルのより明るい点の表示と、その場所の情報を提供し、それにより合焦状態の指示の情報を供給する。
合焦状態の画像信号の指示の誤差の程度を提供することにより、合焦状態の指示は、合焦範囲７２の深さの調整で直される。合焦状態の指示に達するための継続した距離調整では、合焦感知装置６２が、読み取りと解読サイクルを始めるために利用できる”合焦状態”の信号を供給する様に配列される。
図３に関し、アセンブリ２０の感知要素アレイ２１ａと回路点４８の間の点線の連結は代わりの構成を指摘している。図２で示した様に、点４８は合焦ユニット６２への連結を提示している（ユニット６０と６４と同様）。ささげられた線形センサー２１ｂを用意させるために必要な追加の感知要素を供給する代わりに、合焦の目的のためアレイの要素の１つ或いはそれ以上の１時的利用をすることが計画される、それはアレイ２１ａの基本の画像感知機能に関係なくである。後者の配列で、望みの合焦状態決定は、かくして２１ｂの様な分離した線形センサーを供給する必要なしでである。
示されている様に、図２は更に露出制御装置６４を含んでいるが、それは、１つ或いはそれ以上の選択されたセンサー要素からの画像信号に応答し、そして露出期間の始めと終わりに利用できる”スタート”と”ストップ”信号を供給する様に配列されている。露出制御６４は、画像信号を用い所定レベルの反射又は照明の強さに応答してストップ信号を供給する。この様な所定レベル或いは強さは、露出制御装置によって供給されるスタート信号によってはじまる期間内で測定され、そして反射光の強さの累積した表示を表している。期間内に受信した画像信号を累積した画像信号レベルの電圧表示に転換し、そしてその電圧と現在の最初の電圧とを比較することにより、ストップ信号は累積した電圧が最初の電圧に達した時、ストップ信号は発生されるが、その時ターゲット面の所定の照明露出が表示されている。
図５に示されている他の具体例で、露出制御装置は、１つ又はそれ以上の選ばれたセンサー要素の現在の固定した時間のサンプル露出によって測定された照明の強さに応えることにより、スタートとストップ信号の間の時間の継続をセットする。この様なセンサー要素からの画像信号は、この様にして、このサンプル露出期間の間ターゲット面から反射した照明のレベルの表示となる。画像信号を灰色のレベルの信号に変換することにより、調整可能な露出期間の適切な期間の表示である露出制御信号が用意される。
制御信号によって表される露出期間の実際の期間を決めるために、露出制御装置６４ａが、ＣＰＵ８８とカップルされる。
図５で示される様に、ＣＰＵは灰色のレベル信号値に関連の露出期間データを含む調査表をアクセスする様に配置される。実際の調査表データは、前もって経験的又は適切な他の根拠から得られるが、それは、シングルフレーム活動根拠の上の利用可能画像データをとらえることができるために必要とされる露出時間の指示として、所定の期間の最初の期間の間、反射光のレベルを用いてである。
又、図２に指摘している様に、利得制御装置６０は、アレイアセンブリ２０のセンサー要素の１つかそれ以上から供給された画像信号に応える様に配列されていて、そしてより特徴的に画像信号の大きさを制御するため、この様な画像信号によって示されている反射光のレベルに対応する様に配列されている。この具体例の利得制御は、センサー制御ユニット２８の中に含まれている上でふれた調整可能の利得出力増幅器にカップルされた利得制御信号によって達成される。このことはセンサーアレイによって供給された画像信号の大きさを所定の範囲に維持できる様にするが、その時、選ばれた画像信号の大きさのレベルによって示される反射した回りの照明には無関係である。
図２で示した様に、本発明によりデータ形式リーダーの具体例は、又、プロセッシングユニット８０、メモリユニット８２及び入力／出力（Ｉ／Ｏ）モジュール８４を含んでいる。デジタイザー８６、ＣＰＵ８８及び電力取扱いモジュール９０を含んでいるプロセシングユニット８０は、画像信号をセンサーアレイアセンブリ２０から画像信号を受信し、そして画像データをメモリユニット８２に記憶するため、デジタル化して供給する。ユニット８０は、ユニット６２と６４からのスタート、ストップ信号に応答して露出期間を制御する。更に記述される様に操作の過程の中で、プロセシングユニット８０は、又、電池にカップリングしている電力扱いもモジュール９０を経て、周辺、焦点照明器５０と５２、及び露出照明器を入れたり切ったりし、そして電力をカップリングしてセンサーアレイアセンブリ２０の操作をする様にする。プロセシングユニット８０は、更に、メモリユニット８２に記憶されてある画像データを用い、データ形式の解読をする様に配列されている。データ形式の引続く解読の上、ユニット８０又はサイクル終了信号を供給するが、それは、解読操作を終了させるのに効果があり、又、画像信号を準備するためのセンサー要素の読みを終わらせるにも効果があるが、これは、アレイ制御ユニット２８の制御下でセンサー要素の読み取りで共に必要とされる入力電力とクロック信号の準備のカップリングの少なくとも１つを終わらせることによってである。
別々に解読されたデータ形式情報は、Ｉ／Ｏモジュール８４を通して出力装置９２に供給される。Ｉ／Ｏモジュール８４は、図１Ｂに関して論議されたインターフェース溝３４と３６の中で、ＰＣＭＣＩＡカードを操作する様に配列され、そして電波、赤外線、電信又は他の信号伝送それと受信能力を提供する様に配列されている。出力装置９２は従って、出力装置の特別な形式をもった利用のため適当な形式で解読されたデータ形式を供給するため配列されたＩ／Ｏユニット８４をもった、無線や赤外線伝送、又は他の適当な装置のための導線、アンテナ又は光学装置を経て出力信号をカップリングするための出力ポートである。モデム、スピーチ認識、手書き認識、メモリそして他の追加すべき能力又は周辺カードは、又、ＰＣＭＣＩＡの溝に入れて操作が可能である。
以上記述した様に、データ形式のリーダーの理解でもって、明らかになったが、発明によるシステムは、自動利得制御、自動露出、自動合焦感知、シングルフレーム撮像その他の特徴がある。
操作
さて、図６には発明を用いた画像システムの操作についてのフローチャートが示してある。ステップ１００で、利用者は図１Ｂで示されたデータ形式１０のトリガー装置１４を動かす。ステップ１０４で、周辺の照明器５０と合焦照明器５２が付けられ、そしてセンサーの読み取りが始まる。ステップ１０６で、ユーザーは、データ形式リーダー１０とターゲット面の間の距離を調節して図４の範囲７２の中に分離距離になる様にするが、その点で照明の面は交わり、そしてシングルのより小さい、明るい面は又、中央の場所を持つ照明の点に変える。ステップ１０８では、ステップ１０６で到達した合焦状態が、中の少なくとも１つで特徴づけられるかどうかモニターされる。
（ａ）大きさが、所定の大きさの範囲内
（ｂ）明るさが、所定の明るさの範囲内
（ｃ）場所が、所定の場所の範囲内
照明の２つの丸い点について、点はかくして焦点を結び、そしてこの最小の大きさの状態が色々の方法で検出された時、同心となる。この様な照明面の変化が特徴として到達されると、”合焦状態”信号が、ステップ１０で有効となり、露出アレイの全ての照明が付けられる。
露出照明器が付けられると、露出制御装置はスタート信号をセンサーアレイアセンブリに２０に送るが、それはセンサーの上の累積電荷を基準電荷にリセットするのに効果がある。光センサーは、直ちにステップ１１で指摘している様に新しい電荷を累積し始める。同時に露出制御装置と利得制御装置は、周期的にステップ１１３とステップ１１４で光検出器のサンプルに累積した電荷を測定する。ステップ１１３の利得制御装置は、サンプル画像データを用い適切な大きさの利得と分岐された信号を選び、アレイ制御ユニット２８の中のセンサーアレイ増幅器に適用する。ステップ１１４では、露出制御装置はサンプル画像データをモニターし、そしてサンプル画像データがターゲット面からの反射光のレベルが、累積基準の上で所定のレベルに達したことを指摘した時、露出制御装置はストップ信号を発生する。
ストップ信号に答えて、露出センサーの上の累積した電荷は測定され、電圧信号に変換される。感光セルの２次元アレイを用いているセンサーアレイの知られているタイプは、センサー要素が基準電圧レベルに接地されていて露出期間の間、電荷を累積することが許されている。そこで、読み取り処理に従い、全てか、又は選ばれたセルは同時にサンプルされて累積電荷は測定されるが、その時データは一時的に記憶され、そしてシフトレジスター配列を用いて連続して横列から横列へと読み取られる。ステップ１１５では、もうセルで読み取りを必要とするものがない時は、露出照明は切られる。しかし、もし追加のセルが読み取られるべく残っていたら、この具体例ではシステムはステップ１１２とステップ１１３に戻ることになる。露出制御装置は、それからスタート信号を発生し、次のグループのセルに対し露出期間を開始する、それは、その露出期間の終わりで読み取られる。完全なフレームの読み取りの後、システムはステップ１１５からステップ１１６に進むが、その点で露出照明は切られる。
ステップ１１７では、プロセッサーユニット８０は、デジタル化され、メモリユニット８２に記憶されたアレイアセンブリ２０からの画像信号からなる画像データを用いてデータ形式の解読を始める。もし解読が成功すると、ステップ１１８で解読されたデータ形式情報は、データ形式リーダー１０から伝送に役立つ様になり、そしてサイクル終了信号が出されて、入力電力と、アレイ制御ユニット２８で用いられたクロック信号の少なくとも１つを切ることにより読み取りサイクルは終了する。もし解読の成功がなかったら、ステップ１１７で読み取りサイクルが再起動されるか、或いは、図６で示されている様にステップ１０４の繰り返しスタートなる。
ステップ１１７で注意すべきことがある。もしデータ形式が事実ターゲット面の撮像の中にあるとすると、データ形式を解読できる像の中の場所に置く必要がある。この件に関しては、米国出願の”２−Ｄバーコードの位置づけ”で示される。
前と同じであるが、感知要素のアレイを有する画像を利用している画像方法は、次のステップの全てか又は選ばれた幾つかを含んでいる。
（ａ）アレイの前に露出照明器からの光を伝え、そして回りの光スペクトルの他の部分の伝達を減少するのに効果的な光学的フィルターを置く；
（ｂ）読み取りに必要な入力電力とクロック信号を供給する選択されたセンサー要素の読み取りの開始
（ｃ）アレイとターゲット面の間の距離と共変わる大きさ、明るさ及び場所の少なくとも１つによって特徴づけられた照明の面を持ったターゲット面を照明する；
（ｄ）所定の大きさの範囲内の大きさ、及び所定の明るさの範囲内の明るさ及び所定の場所の範囲内の場所の少なくとも１つによって照明の面が特徴づけられる原因となる、この距離を調整すること；
（ｅ）少なくとも１つの感知要素からの画像信号が、照明がステップ（ｄ）で記述された様に特徴づけられると指摘した時、合焦状態の信号を提供すること；
（ｆ）合焦状態信号に応答して、露出照明器を付ける；
（ｇ）反射光のレベルの表示として選択された感知要素からの画像信号を用い、アレイからの画像信号の増幅を制御する利得制御信号を供給すること；
（ｈ）少なくとも１つの感知要素からの画像信号がターゲット面からの照明の所定のレベルの反射を指摘した時、ストップ信号を作り出すこと；
（ｉ）センサーセルの完全な露出の上、露出照明器を切る；
（ｊ）デジタル化され、メモリに記憶されたアレイからの画像信号を示している画像データをデータ形式の解読のための処理をすること；
（ｋ）データ形式の解読の成功の上で、サイクル終了の信号を出し、センサーの読み取りを入力電力とクロック信号の少なくとも１つの終わりでもって終了させ、そして解読されたデータ形式情報と、Ｉ／Ｏモジュールをカップリングさせる；そして
（１）解読が不成功ならば、ステップ（ｄ）から繰り返す。
図７は、この発明の第２の具体例に対応するフローチャートである。ステップ１００からステップ１０８までは、前のと同じである。ステップ１０８で合焦状態を決定し、合焦状態の信号を発生させた後、露出照明器が、このサンプル露出期間に対して付けられ、そしてステップ１２２で画像データが集められる。こうするため、露出制御装置はサンプル露出スタート信号を発生し、それにより選ばれた光センサーは基準電荷に設置され、そしてサンプルし電荷の累積を開始する。この露出期間の終わりで、露出制御装置は、その一部はこの目的のため単にタイマーであるのだが、ストップ信号を発生し、それによって各選択されたセンサーの上のサンプル累積電荷は画像データとして読み込まれる。ステップ１２４では、サンプル露出の間に集められた画像データに応答して、露出制御装置は調整可能な露出期間を決定する。論議した様に、適切な露出期間は、図５の露出ユニット６４ａを経て、選ばれたセンサーからの画像データを累積すること、及び終わりの電圧をメモリ８２ａに記憶された調査表と参照することにより決定される。
反射した照明のレベルが、色々のファクターの中で、ターゲット面の反射率によって決められるということは評価できよう。
この様な反射率は、表面の構造や色彩の状態によって予期された値より高かったり低かったりする。従って、アレイからの画像信号の利得を制御することは露出期間と同じく望ましいことである。この結果は、図５の利得ユニット６０ａを経て、選ばれたセンサー要素からの画像データを累積すること、信号表示をメモリ８２ａの中の調査表を参照することで得られるが、それは、この最初の期間に反射した照明の特別のレベルに対して、画像信号出力利得の調整のための値を与える。図７はステップ１２６を示しているが、それはサンプル画像データを用いて適切な利得調整を決定し、センサアレイアセンブリの出力増幅器に適用しようとするものである。ステップ１２８では、装置は画像データのシングルフレームを取り込む。上で議論した様に、もしセンサーアレイが、全ての光センサーセルが照合され、露出され、そしてパラレルにサンプルされデータの完全なフレームを発生する様に構成されたら、ステップ１２８は、ただ１つの接地サイクル、露出及び、セル上の累積電荷のサンプリングで成り立つことになる。ステップ３０では、露出照明器は切られる。もし光センサーアレイが選ばれたセンサー要素のみが、シングルサイクルで平行に読み込まれたら、露出制御装置は点線の路１２８で指摘されている様に所定の露出時間に対応した多くのスタートとストップの信号を発生することになる。データの完全なフレームを集めた後、ステップ１３０で露出照明は切られる。もしデータの形が引き続きステップ１３２で解読されるとデータの伝達と読み取りのサイクルは、アレイ制御装置で用いられる入力電力とクロック信号の少なくとも１つの終わりを含んでいて、そしてステップ１３４に進む。
操作の単純さと効果は、自動利得制御、自動無シャッター露出制御と自動合焦状態の感知で高められる。操作上の利点には完全な精度、シングルフレーム上の完全フレーム撮像、自動露出基礎で回りの光レベルには無関係なものである。
必要な利得調整は、１００マイクロ秒のオーダーの時間で感知される。
シングルフレーム撮像で、連続画像データは移り、そしてデータ処理は避けられる。手でもって取り扱うという応用に加えて、この発明によるシステムは、簡単で安価で信頼性が高く他の多くの方面での利用価値が高い。
この分野で力量がある人にとっては、発明から離れることなしで改良がなされると思うであろうが、クレイムで全ての改良品や変形がこの発明の範囲の中にあることを強調している。
【図１Ａ】
0003877765.tif 000002
【図１Ｂ】
0003877765.tif 000003
【図１Ｃ】
0003877765.tif 000004
【図２】
0003877765.tif 000005
【図３】
0003877765.tif 000006
【図４】
0003877765.tif 000007
【図５】
0003877765.tif 000008
【図６】
0003877765.tif 000009
【図７】
0003877765.tif 000010